(57)【特許請求の範囲】
【請求項１】
軸筒と、軸筒の前部に設けられた口金と、口金内に内蔵されかつ長手方向後方に付勢されて芯を保持する為の先端チャックと、先端チャックより長手方向後方に位置し、芯を繰り出す為の繰出チャックとからなり、軸筒の後端より突出した押圧部材を前進させることにより繰出チャックが前進して芯を繰り出す先端チャック式シャープペンシルにおいて、先端チャックの後部に固着された内筒の凹溝あるいは内面に連結具を着脱可能に係合し、繰出チャックの頭部に外嵌された締具が、内筒の係止段と前記連結具の間に遊嵌されることを特徴とする先端チャック式シャープペンシル。
【請求項２】
口金の後部に長手方向に伸びた摺動溝を形成し、更に摺動溝より口金の後端に連通して挿入溝を形成し、内筒に形成した突起が前記口金の挿入溝を通って摺動溝に係合することを特徴とする請求項１記載の先端チャック式シャープペンシル。
【発明の詳細な説明】
【０００１】
【産業上の利用分野】
本発明は、漸次芯を繰り出すノック式シャープペンシルにおいて、口金および軸筒からなる本体内に芯の後退を防止する先端チャックと、頭部に締リングを外嵌し一定量づつ芯を繰り出す繰出チャックとを設けた先端チャック式シャープペンシルに関する。
【０００２】
【従来の技術】
従来、短くなった芯でも筆記可能なノック式シャープペンシルとしては、図９に示したように先端チャック１０４に内筒４０３を圧入固着し、締具６を外嵌した繰出チャック５を前記内筒４０３内に内蔵した先端チャック式シャープペンシルや、図１０に示したように、先端チャック２０４に内筒５０３を螺合した先端チャック式シャープペンシルが知られている。
【０００３】
【発明が解決しようとする課題】
しかし、図９に示した先端チャック式シャープペンシルは、先端チャック１０４と内筒４０３が分離できず、内筒４０３内に短芯が発生した場合には取り出すことができなかった。また、図１０に示した先端チャック式シャープペンシルは、先端チャック２０４に内筒５０３を螺合する組立が面倒であるとともに、先端チャック２０４が抜け落ちるのを防止するために口金１０１に内軸１１７を固着した場合には、口金１０１より先端チャック２０４、繰出チャック５、内筒５０３等を外すことができず、内筒５０３内に発生した短芯が取り出せなかった。
本発明は、上記課題を解消する先端チャック式シャープペンシルを提供することを目的とするものである。
【０００４】
【課題を解決するための手段】
上記目的を達成するために本発明は、軸筒と、軸筒の前部に設けられた口金と、口金内に内蔵されかつ長手方向後方に付勢されて芯を保持する為の先端チャックと、先端チャックより長手方向後方に位置し、芯を繰り出す為の繰出チャックとからなり、軸筒の後端より突出した押圧部材を前進させることにより繰出チャックが前進して芯を繰り出す先端チャック式シャープペンシルに関するものである。しかも先端チャックの後部に固着された内筒の凹溝あるいは内面に連結具を着脱可能に係合し、繰出チャックの頭部に外嵌された締具が、内筒の係止段と前記連結具の間に遊嵌されて先端チャック式シャープペンシルが構成される。
【０００５】
【作用】
従って、内筒に連結具が簡単に係合できるとともに、内筒内に短芯が発生した場合には連結具を外して短芯を除去できる。
【０００６】
【実施例】
図１、図２、図３、図４および図５は本発明の第１実施例を示したもので、図４に示したように合成樹脂製の口金１の後部に長手方向に伸びた摺動溝１Ａを互いに対向させて形成し、更にそれぞれの摺動溝１Ａより口金１の後端に連通して挿入溝１Ｂを形成する。該挿入溝１Ｂは長手方向後方に行くに従って幅が広がるように形成する。口金１の先端開口部１Ｃには金属製の先端締具２が固着される。また、内筒３の後部は切溝３Ａにより半割りにされ、更に図５に示したように半割りされたそれぞれの後部外面には突起３Ｂが形成される。該突起３Ｂの長手方向前面は尖って形成される。更に内筒３の内側には内段３Ｃと内方突起３Ｄにより凹溝３Ｅが形成される。内筒３の前部には黄銅等の金属で作製された先端チャック４の後部が固着される。繰出チャック５の頭部には締具６が外嵌され、繰出チャック５の後部には芯タンク７が固着される。締具６を受ける連結具８と芯タンク７の間には内スプリング９が張架され、繰出チャック５の頭部が締具６に押圧される。連結具８は前記内筒３の後方より挿入され、内筒３の凹溝３Ｅに着脱可能に係合される。締具６は内筒３の係止段３Ｆと連結具８の間を摺動可能に遊嵌され、通常は連結具８に押圧されている。繰出チャック５、締具６等を内蔵しかつ前部に先端チャック４を固着した内筒３は前記口金１の後端より挿入され、先端チャック４の頭部が前記先端締具２を挿通して先端より突出する。また、内筒３の突起３Ｂが口金１の挿入溝１Ｂを通って摺動溝１Ａに挿入される。従って、内筒３の突起３Ｂが摺動溝１Ａの後端縁１Ｄに係合され、内筒３が口金１より抜け出るのを防止する。口金１の内段１Ｅと内筒３の外段３Ｇとの間には外スプリング１０が張架され、該外スプリング１０によって先端チャック４は長手方向後方に付勢される。先端チャック４内に芯１１が挿通した状態では、先端チャック４の頭部４Ａが先端締具２に押圧されて閉じられ、芯１１を強固に保持する。口金１の後部には軸筒１２が螺合され、該軸筒１２の後部に開口窓１２Ａが形成される。押圧部材１３の前部には長手方向に伸びた２本の切溝１３Ａによって弾性片１３Ｂが形成され、該弾性片１３Ｂに突起１３Ｃが形成される。押圧部材１３の前部は軸筒１２の後端より挿入され、押圧部材１３の突起１３Ｃが前記軸筒１２の開口窓１２Ａに嵌め込まれる。芯タンク７の後部は押圧部材１３の前部内孔１３Ｄに挿入され、芯タンク７の横振れが規制される。押圧部材１３の後部内側には消しゴム１４が設けられ、押圧部材１３の後部外側には消しゴム１４を覆うノブ１５が嵌合される。
【０００７】
以上説明した第１実施例の先端チャック式シャープペンシルは、口金１に内筒３が簡単に取り付けられる。しかも先端チャック４が芯１１を保持しないで外スプリング１０により長手方向後方に付勢された場合には、口金１の摺動溝１Ａの後端縁１Ｄと内筒３の突起３Ｂが係合することにより、内筒３および先端チャック４が口金１から抜け出るのを防止する。更に内筒３の凹溝３Ｅに連結具８が簡単にかつ適度の嵌合力で取り付けられるとともに、短芯が内筒３内に発生した場合には単に芯タンク７を長手方向後方に引っ張るだけで連結具８を外すことができる。
【０００８】
図６は本発明の第２実施例を示したもので、先端チャック４を固着した内筒１０３にゴム製の芯ホルダー１６を取り付け、繰出チャック５によって繰り出された芯１１が前記芯ホルダー１６により軽く保持される。
【０００９】
従って、繰出チャック５による芯１１の繰り出しを確実にするとともに、繰り出された芯１１を正確に先端チャック４に導くことができる。
【００１０】
図７は本発明の第３実施例を示したもので、内筒２０３の内面に連結具１０８を適宜の摩擦力で嵌合したものである。
【００１１】
従って、連結具１０８が内筒２０３に簡単に取り付けられるとともに、連結具１０８を外す必要が生じた場合には、芯タンク７を長手方向後方に引っ張るだけで容易に外すことが可能である。
【００１２】
図８は本発明の第４実施例を示したもので、内軸１７の後部外面には突起１７Ａが対向する位置に形成され、該突起１７Ａの長手方向前面は尖って形成される。口金１内に先端チャック４および内筒３０３等を内蔵した後に、前記内軸１７の突起１７Ａを口金１の挿入溝１Ｂを通って摺動溝１Ａに挿入し、口金１に内軸１７を取り付ける。
【００１３】
従って、先端チャック４が芯１１を保持しないで外スプリング１０により長手方向後方に付勢された場合でも、内筒３０３が内軸１７に当接し、内筒３０３および先端チャック４が口金１から抜け落ちる恐れはない。
【００１４】
【発明の効果】
以上説明した本発明の先端チャック式シャープペンシルは、内筒に連結具を係合させて取り付けるので、連結具が簡単にかつ着脱可能に取り付けられ、しかも、芯タンクを長手方向後方に引っ張れば連結具を外すことができるので内筒内に発生した短芯も容易に除去できる効果が奏せられるものである。
【図面の簡単な説明】
【図１】本発明の第１実施例を示す断面図である。
【図２】図１のＡ−Ａ線を示す断面図である。
【図３】図１のＢ−Ｂ線を示す断面図である。
【図４】第１実施例の先端締具および口金を示す平面図である。
【図５】第１実施例の内筒を示す平面図である。
【図６】本発明の第２実施例を示す主要部断面図である。
【図７】本発明の第３実施例を示す主要部断面図である。
【図８】本発明の第４実施例を示す主要部断面図である。
【図９】先端チャックに内筒を圧入固着した従来の先端チャック式シャープペンシルを示す主要部断面図である。
【図１０】先端チャックに内筒を螺合した従来の先端チャック式シャープペンシルを示す主要部断面図である。
【符号の説明】
１  口金
１Ａ  口金１の摺動溝
１Ｂ  口金１の挿入溝
３  内筒
３Ｂ  内筒３の突起
３Ｆ  内筒３の係止段
４  先端チャック
５  繰出チャック
６  締具
８  連結具
１１  芯
１２  軸筒
１３  押圧部材
１０３  内筒
１０８  連結具
２０３  内筒
３０３  内筒
【図１】
0003779753.tif 000002
【図２】
0003779753.tif 000003
【図３】
0003779753.tif 000004
【図４】
0003779753.tif 000005
【図５】
0003779753.tif 000006
【図６】
0003779753.tif 000007
【図７】
0003779753.tif 000008
【図８】
0003779753.tif 000009
【図９】
0003779753.tif 000010
【図１０】
0003779753.tif 000011